【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
脊椎インプラントにおいて、
軸方向空洞を画定している壁を含む第１部材と、
第１端と第２端の間を延びていて長手方向軸を画定している第２部材であって、前記軸方向空洞に関しての配置及び前記第１部材に対しての並進運動に適するように構成されており、前記第１端が空洞を含み、前記空洞が実質的に球状である面を含んでいる第２部材と、
組織と係合可能な外側表面及び前記外側表面の前記組織との係合に応えて前記第１端に動的に係合するように配置されている内側表面を含む第３部材であって、前記内側表面から延びている支柱を備え、前記支柱が前記動的係合を容易にするべく前記空洞内に可動式に配置されるとともに、前記支柱が前記球状である面に対向する面を有している第３部材と、を備えている脊椎インプラント。
【請求項２】
前記第３部材は、前記長手方向軸に対して複数の軸方向の向き付けに可動である第１軸を画定している、請求項１に記載の脊椎インプラント。
【請求項３】
前記外側表面は、前記長手方向軸に対して横断方向に向き付けられている実質的に平面状の面を含んでいる、請求項１に記載の脊椎インプラント。
【請求項４】
前記平面状の面は、前記長手方向軸に対して、実質的に０乃至２０度の角度範囲で可動である、請求項３に記載の脊椎インプラント。
【請求項５】
前記外側表面は、前記長手方向軸に対して、第１の角度的向き付けと第２の角度的向き付けの間で可動である実質的に平面状の面を含んでいる、請求項１に記載の脊椎インプラント。
【請求項６】
前記第２の角度的向き付けは、前記第１の角度的向き付けに対して実質的に１０度に配置されている、請求項５に記載の脊椎インプラント。
【請求項７】
前記空洞は、実質的に球状の第１の面ならびに前記長手方向軸に対して横断方向に延びている第２及び第３の面によって画定されており、前記第１、第２、及び第３の面はそれぞれ、前記第３部材の前記第２部材に対する運動を拘束するストッパ的歯止めを画定している、請求項１に記載の脊椎インプラント。
【請求項８】
前記ストッパ的歯止めのそれぞれは、前記第３部材の前記第２部材に対する複数の向き付けの１つに対応している、請求項７に記載の脊椎インプラント。
【請求項９】
帯をさらに備えており、前記第１部材は、前記帯の配置に適するように構成されている円周溝を画定する内側表面を含んでおり、前記第２部材は、前記帯と係合可能な歯を有する螺旋ギヤを含む外側表面を備えている、請求項１に記載の脊椎インプラント。
【請求項１０】
前記空洞の面は、前記第３部材の前記第２部材に対する少なくとも１つの可動限界を画定している、請求項１に記載の脊椎インプラント。
【請求項１１】
脊椎インプラントにおいて、
軸方向空洞を画定している壁を含む外側本体と、
第１端と第２端の間を延びていて長手方向軸を画定している内側本体であって、前記軸方向空洞に関しての配置及び前記外側本体に対しての並進運動に適するように構成されており、前記第１端が側方開口を画定する外側表面を含むとともに、空洞を含み、前記空洞が実質的に球状である面を含んでいる、内側本体と、
組織と係合可能な外側表面と、キャップに対して回転可能である側方支柱を含む内側表面とを含むキャップを含み、前記側方支柱は、前記外側表面の前記組織との動的係合を容易にするべく前記開口内に並進運動のために配置されるとともに、前記側方支柱が前記球状である面に対向する面を有している、前記キャップとを備える、脊椎インプラント。
【請求項１２】
前記第１端は、前記空洞の反対側にある第２空洞を含んでおり、
前記脊椎インプラントは、前記動的係合を容易にするべく前記内側及び外側の表面を通って前記第２空洞内へ延びている可動式支柱をさらに備えている、請求項１に記載の脊椎インプラント。
【請求項１３】
前記第２空洞は、実質的に球状の第１の面ならびに前記長手方向軸に対して横断方向に延びている第２及び第３の面によって画定されており、前記第１、第２、及び第３の面はそれぞれ、前記第３部材の前記第２部材に対する運動を拘束するストッパ的歯止めを画定している、請求項１２に記載の脊椎インプラント。
【請求項１４】
前記第２空洞は、前記空洞と同軸である、請求項１２に記載の脊椎インプラント。
【請求項１５】
前記可動式支柱は、ノブ部分及びステム部分を含んでおり、前記ステム部分は、前記第２空洞に可動式に配置されるのに適する構成である、請求項１２に記載の脊椎インプラント。
【請求項１６】
前記内側表面は、実質的に平面状の面及び環状面を含んでおり、前記実質的に平面状の面及び前記環状面は、前記外側表面の前記組織との係合に応えて前記第１端に動的に係合するにあたり前記第３部材の前記長手方向軸に対する回転を容易にさせる前記第１端との前記係合に適するように構成されている、請求項１に記載の脊椎インプラント。
【請求項１７】
前記第１部材は、側方開口を含んでおり、
前記第２部材は、スロットを有する管状壁を含んでおり、前記スロットは、複数の歯をそれに沿って配置させているギヤラックを有しており、
前記脊椎インプラントは、前記歯に係合するように前記側方開口を通って延びている器械を備え、前記器械は、前記脊椎インプラントを展開させる形で前記第２部材を前記第１部材に対して並進運動させるように、前記第１部材及び前記第２部材に対して回転可能である、請求項１に記載の脊椎インプラント。
【請求項１８】
前記第１端は、前記空洞の反対側にある第２空洞を含んでおり、
前記脊椎インプラントは、前記動的係合を容易にするべく前記内側及び外側の表面を通って前記第２空洞内へ延びている可動式支柱をさらに備えており、
前記第２空洞は、実質的に球状の第４の面ならびに前記長手方向軸に対して横断方向に延びている第５及び第６の面によって画定されており、前記第４、第５、及び第６の面はそれぞれ、前記第３部材の前記第２部材に対する運動を拘束するストッパ的歯止めを画定している、請求項７に記載の脊椎インプラント。
【請求項１９】
歯が、螺旋構成に離間されており、かつ、前記長手方向軸に対して角度的向き付けに配置されている、請求項９に記載の脊椎インプラント。
【請求項２０】
脊椎インプラントにおいて、
軸方向空洞及び側方開口を画定している壁を含む第１部材と、
第１端と第２端との間を延びていて長手方向軸を画定している第２部材であって、前記軸方向空洞に関しての配置及び前記第１部材に対しての並進運動に適するように構成されており、前記第１端は、第１空洞、及び前記第１空洞の反対側にある第２空洞を含んでおり、前記第２部材は、スロットを有する管状壁を含んでおり、前記スロットは、複数の歯をそれに沿って配置させているギヤラックを有している、第２部材と、
組織と係合可能な外側表面及び前記外側表面の前記組織との係合に応えて前記第１端に動的に係合するように配置されている内側表面を含む第３部材であって、前記内側表面から延びている支柱を備え、前記支柱が前記動的係合を容易にするべく前記空洞内に可動式に配置されている第３部材と、
前記動的係合を容易にするべく前記内側及び外側の表面を通って前記第２空洞内へ延びている可動式支柱と、
前記歯に係合するように前記側方開口を通って延びている器械であって、前記脊椎インプラントを展開させる形で前記第２部材を前記第１部材に対して並進運動させるように前記第１部材及び前記第２部材に対して回転可能である器械と、
帯と、を備え、前記第１部材は、前記帯の配置に適するように構成されている円周溝を画定する内側表面を含んでおり、前記第２部材は、前記帯と係合可能な歯を有する螺旋ギヤを含む外側表面を備えている、脊椎インプラント。